(57)【要約】      （修正有）【課題】内部に必要なものを確実に収納し、かつ和服で持ち歩いても違和感がなく茶席等に携帯しても違和感がなく、また収納機能に優れコンパクトな和装用の収納バッグを提供する。【解決手段】二つ折りの和装用の収納バッグであり、外側表面の材質の一部又は全部を布で構成し、内側に袱紗入れＰ１、財布１２、カードケース１３，１４、懐紙入れＰ３、携帯電話フォルダ２２、扇子入れ２３を形成する。【選択図】図５
0003175901.tif 000002
【実用新案登録請求の範囲】
【請求項１】
二つ折りの和装用の収納バッグであり、外側表面の一部又は全部を布で構成し、一端に持ち手を取り付け、内側に袱紗入れ、財布、カードケース、懐紙入れ、携帯電話フォルダ、扇子入れを構成したことを特徴とする和装用の収納バッグ。
【請求項２】
二つ折りの和装用の収納バッグであり、外側表面の表側を布で構成し、裏側の一部を布で構成すると共に側端部を皮革で構成し、前記外側表面の裏面に皮革製の裏地を構成し、内側の一側の裏地の上に仕切り布を取り付け、裏地と前記仕切り布の間に袱紗入れを構成し、前記仕切り布の上に財布を構成し、前記仕切り布と財布の間に祝儀袋入れを構成し、内側の他側の裏地の上に仕切り布を取り付け、裏地と前記仕切り布の間に懐紙入れを構成し、前記仕切り布の上に携帯電話フォルダと扇子入れを構成したことを特徴とする和装用の収納バッグ。
【請求項３】
二つ折りの和装用の収納バッグであり、外側表面の表側を布で構成し、裏側の一部を布で構成すると共に側端部を皮革で構成し、前記外側表面の裏面に皮革製の裏地を構成し、一端に持ち手を取り付け、内側の一側の裏地の上に仕切り布を取り付け、裏地と前記仕切り布の間に袱紗入れを構成し、前記仕切り布の上に財布を構成し、前記仕切り布と財布の間に祝儀袋入れを構成し、内側の他側の裏地の上に仕切り布を取り付け、裏地と前記仕切り布の間に懐紙入れを構成し、前記仕切り布の上に携帯電話フォルダと扇子入れを構成したことを特徴とする和装用の収納バッグ。
【考案の詳細な説明】
【技術分野】
【０００１】
本考案は、和服を着用した際あるいは茶席に参加する際などに使用して、小物類を効率よく収納でき違和感なく携帯できる和装用の収納バッグに関するものである。
【背景技術】
【０００２】
従来より、和装をした際に必要な小物等を好適に携帯するための和装用の収容袋が提案されていた。特許文献１に記載された和装用の手回り品収容袋によれば、上部が開口する袋本体（１０）と、袋本体（１０）の上部に、接続部（２２）を介して取り付けられ、着用された着物（６０）と帯（５０）との重なる部分に上方から差し込み可能に設けられた差込部材（２０）と、袋本体（１０）の差込部材（２０）の取り付け位置より下側に、帯締め（５２）を通すように設けられた帯締め通し部（３０）とを具備したものである。
【先行技術文献】
【特許文献】
【０００３】
【特許文献１】特開２００６−８１８９７号公報
【０００４】
前記和装用の手回り品収容袋によれば、袋本体を、差込部材と帯締め通し部又は帯通し部とによって、着物の帯の部分に好適に取り付けることができる。従って、和装をした際にも、手回り品を好適に収容した状態で携帯して所持することができるという効果を有している。
【考案の概要】
【考案が解決しようとする課題】
【０００５】
しかしながら、前記特許文献１記載の発明は、袋本体を着物の帯の部分に取り付けなくてはならないが、着物の帯に物を取り付けることは通常行われていないため、袋本体（１０）を帯に取り付けることは馴染まないと考えられる。特に部屋に上がった際には違和感が生じ、袋本体（１０）取り外して、他のバッグ等に収納する必要があるという問題点があった。
【０００６】
本考案は、特に和装の際に使用する収納バッグであり、内部に必要なものを確実に収納し、かつ和服で持ち歩いても茶席等に携帯しても違和感がなく、また収納機能に優れコンパクトな和装用の収納バッグを提供することを目的とする。
【課題を解決するための手段】
【０００７】
請求項１に記載の考案は、二つ折りの和装用の収納バッグであり、外側表面の一部又は全部を布で構成し、一端に持ち手を取り付け、内側に袱紗入れ、財布、カードケース、懐紙入れ、携帯電話フォルダ、扇子入れを構成した和装用の収納バッグである。
【０００８】
請求項２に記載の考案は、二つ折りの和装用の収納バッグであり、外側表面の表側を布で構成し、裏側の一部を布で構成すると共に側端部を皮革で構成し、前記外側表面の裏面に皮革製の裏地を構成し、内側の一側の裏地の上に仕切り布を取り付け、裏地と前記仕切り布の間に袱紗入れを構成し、前記仕切り布の上に財布を構成し、前記仕切り布と財布の間に祝儀袋入れを構成し、内側の他側の裏地の上に仕切り布を取り付け、裏地と前記仕切り布の間に懐紙入れを構成し、前記仕切り布の上に携帯電話フォルダと扇子入れを構成した和装用の収納バッグである。
【０００９】
請求項３に記載の考案は、二つ折りの和装用の収納バッグであり、外側表面の表側を布で構成し、裏側の一部を布で構成すると共に側端部を皮革で構成し、前記外側表面の裏面に皮革製の裏地を構成し、一端に持ち手を取り付け、内側の一側の裏地の上に仕切り布を取り付け、裏地と前記仕切り布の間に袱紗入れを構成し、前記仕切り布の上に財布を構成し、前記仕切り布と財布の間に祝儀袋入れを構成し、内側の他側の裏地の上に仕切り布を取り付け、裏地と前記仕切り布の間に懐紙入れを構成し、前記仕切り布の上に携帯電話フォルダと扇子入れを構成したことを特徴とする和装用の収納バッグである。
【考案の効果】
【００１０】
請求項１記載の和装用の収納バッグによれば、外側表面の材質の一部又は全部が布製であり和風の印象を与えるため、和服を着て持ち歩いたり茶席などに所持しても違和感がない。また、内部には和装時に必要な小物類を効率よく分類してまとめて収納できるため小物類を忘れることがなく、コンパクトでありながら収納機能に優れた効果を奏する。
【００１１】
請求項２記載の和装用の収納バッグによれば、外側表面の表側の材質が布製で、裏側の一部が布製で側端部が印伝等の皮革によって構成されているため、和風で高級な印象を与える。そのため和服を着て持ち歩いたり茶席などに所持しても違和感がない。また、内部には和装時に必要な小物類を効率よく分類してまとめて収納できるため小物類を忘れることがなく、コンパクトでありながら収納機能に優れた効果を奏する。
【００１２】
請求項３記載の和装用の収納バッグによれば、請求項２記載の効果に加えて、持ち手を取り付けたため、持ち手で吊り下げて持ち運ぶ際にも和装にマッチして違和感がないという効果を奏する。
【図面の簡単な説明】
【００１３】
【図１】本考案の実施形態１の表側の斜視図
【図２】本考案の実施形態１の裏側の斜視図
【図３】本考案の実施形態１の分解斜視図
【図４】本考案の実施形態１の内側の展開平面図
【図５】本考案の実施形態１の内側の一部切欠き平面説明図
【図６】本考案の実施形態１の外側の展開平面図
【図７】本考案の使用態様の説明図
【考案を実施するための形態】
【００１４】
本考案の実施形態１を図面に基づいて説明する。
本実施形態の和装用の収納バッグは、携帯時には二つ折りにし長方形状にして留め具２６で表側１ａと裏側１ｂを留めて使用する。
外側表面１の表側１ａの材質を布で構成し、裏側１ｂの材質の一部を布で構成し端部に印伝製の側端部２７を構成する。この外側表面１の裏面の全面に皮革製の裏地２を貼ってある。
前記裏地２を皮革製としたことから、耐久性と強度に優れたものとなっている。
【００１５】
収納バッグの内側を図３ないし図５に示す。
内側の左側部（図４左側）には、裏地２の上に仕切り布１１を取り付ける。これによって前記裏地２と仕切り布１１の間に袱紗入れＰ１が構成され、この袱紗入れＰ１に袱紗３３を収納する。
【００１６】
前記仕切り布１１の上に、仕切り布１１と略同大の財布１２を固定し、この仕切り布１１と財布１２の間に構成された祝儀袋入れＰ２に祝儀袋３４を収納する。このように仕切り布１１の材質が布であるので、紙製の祝儀袋３４を長い間収納して持ち運んでも祝儀袋３４がすれて傷がつくおそれがない。なお、前記祝儀袋入れＰ２を構成しないときは、仕切り布１１を構成する必要はない。
【００１７】
前記財布１２の上に上端が開口した上部カードケース１４と下部カードケース１３を設ける。財布１２とカードケース１３，１４は共に皮革製であり、財布１２は側面に設けたファスナ１２ａで開閉する。
【００１８】
前記下部のカードケース１３には、パスモなどのいわゆる電子マネーカード３１を収納し、上部のカードケース１４には、クレジットカード３２を収納する。カードケース１３，１４は、それぞれ収納されるカード３１，３２よりも大きいため、収納状態では内部のカード３１，３２は外部から見えない。
これは、収納バッグを開いたときに、カード類が見えると和装の雰囲気を壊す恐れがあるので、それを防ぐためである。
【００１９】
内側の右側部（図４右側）には、裏地２の上に仕切り布２１を取り付け、裏地２と仕切り布２１の間に懐紙入れＰ３を構成して、この懐紙入れＰ３に懐紙３５を収納する。
【００２０】
前記仕切り布２１の上に携帯電話フォルダ２２と扇子入れ２３を構成する。携帯電話フォルダ２２には、携帯電話３６やその他の電子通信端末機器を収納する。
前記携帯電話フォルダ２２の側部には、扇子３７を収納する扇子入れ２３を構成し、その上部に扇子３７の保持ベルト２４を構成してある。これによって扇子３７を取り出しやすい位置に効率よく収納でき、携帯できる。
なお、前記袱紗入れＰ１と懐紙入れＰ３は同様の構成のため、袱紗入れＰ１に懐紙３５を入れ、懐紙入れＰ３に袱紗３３を入れることもできる。
【００２１】
また、前記右側部の上端、すなわち表側１ａの上端に持ち手２５を設ける。この持ち手２５は、一方の係止具２５ａによって右側部の上端に固定され、他方の係止具２５ｂによって右側部の上端に取り外し可能に取り付けられている。このため、必要に応じて係止具２５ｂを取り外して、収納バッグの内部に収納することができる。
【００２２】
上記のように構成した実施形態１の作用を説明する。
前記のように懐紙３５、携帯電話３６、祝儀袋３４等の小物類の収納時には、上述のように内側に設けた各小物入れやケースにそれぞれ必要な小物類を入れて収納する。
【００２３】
携帯時は、収納バッグを閉じて図１、図２の状態として縦持ちで持ち運ぶ。この場合、図７に示すように、表側１ａを外側にして持ち手２５で吊り下げて持つと、表側１ａは表面がすべて布で覆われているため、一見袋を下げているようであり和装にマッチして違和感がない。この表面の布は、本実施形態では三河木綿であり、全体として数奇屋袋の感じを醸し出している。
【００２４】
使用に際しては、留め具２６をはずして開き、図４の状態として必要な小物類を取り出して使用する。
【００２５】
上記のような本実施形態の和装の収納バッグによれば、持ち運び時には和装にマッチして違和感がなく、また茶席などの座敷に携帯しても、表面の素材が布であるため周囲の雰囲気とマッチして違和感がない。
【００２６】
また、茶席では袱紗３３、懐紙３５、扇子３７などは必ず所持しなくてはならず、財布や携帯電話等の貴重品も身に付けなくてはならない。本実施形態の和装の収納バッグを使用することで、それら必要な物を効率よく確実に収納できるから、必需品を忘れることがなくオールインワンの利便性を備えていて、かつスマートに持ち運び使用できるのである。
【００２７】
さらに使用に際し、各小物類をそれぞれ予め決められた部位に収納しているため無駄なスペースがなく、仕分け機能に優れていて取り出しも便利である。
さらに日常生活で必要なカード類を収納するカードケース１３，１４や財布１２なども構成されているから、通常の生活用品としての機能も有している。
【符号の説明】
【００２８】
１  外側表面                ２  裏地
１ａ  外側表面の表側        １ｂ  外側表面の裏側
１１  仕切り布              １２  財布
１３  カードケース          １４  カードケース
２１  仕切り布              ２２  電話フォルダ
２３  扇子入れ              ２５  持ち手
３１  カード                ３２  カード
３３  袱紗                  ３４  祝儀袋
３５  懐紙                  ３６  携帯電話
３７  扇子                  Ｐ１  袱紗入れ
Ｐ２  祝儀袋入れ            Ｐ３  懐紙入れ
【図１】
0003175901.tif 000003
【図２】
0003175901.tif 000004
【図３】
0003175901.tif 000005
【図４】
0003175901.tif 000006
【図５】
0003175901.tif 000007
【図６】
0003175901.tif 000008
【図７】
0003175901.tif 000009